(57)【要約】【課題】利用者の一側の眼で見ることができる画像を他側の眼に見えないようにし、かつ、その画像以外のものを他側の眼で見える状態にする画像装置、並びに、それに用いられる偏光体及び位相差フィルムを提供する。【解決手段】画面１１の所定領域から放たれる光が楕円偏光Ｌのみである表示器１２と、楕円偏光Ｌを第１の正円偏光Ｌ１に変換する位相差体１３と、利用者Ｈの視認対象眼Ｅ１と位相差体１３の間の空間外、かつ、利用者Ｈの非視認対象眼Ｅ２と位相差体１３の間の空間内に配され、回転方向が第１の正円偏光Ｌ１の回転方向とは反対の第２の正円偏光Ｌ２を通過させる偏光体１４とを備えて、視認対象眼Ｅ１のみに所定領域に表示されている画像を見せる。【選択図】図２
2017060641.tif 000002
【特許請求の範囲】
【請求項１】
画面の所定領域から放たれる光が楕円偏光のみである表示器と、
前記楕円偏光を第１の正円偏光に変換する位相差体と、
利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させる偏光体Ｐとを備えて、前記視認対象眼のみに前記所定領域に表示されている画像を見せることを特徴とする画像装置。
【請求項２】
請求項１記載の画像装置において、前記非視認対象眼と前記位相差体の間の空間外、かつ、前記視認対象眼と前記位相差体の間の空間内に配され、前記第１の正円偏光のみを通過させる偏光体Ｑを、更に備えることを特徴とする画像装置。
【請求項３】
請求項１記載の画像装置において、前記非視認対象眼と前記位相差体の間の空間外、かつ、前記視認対象眼と前記位相差体の間の空間内に配され、光全体に対して通過する光の量を減少させる減光体を、更に備えることを特徴とする画像装置。
【請求項４】
請求項１〜３のいずれか１項に記載の画像装置において、前記位相差体は、フィルム状であって、前記画面に貼り付けられていることを特徴とする画像装置。
【請求項５】
請求項１〜４のいずれか１項に記載の画像装置において、前記偏光体Ｐが前記非視認対象眼の眼鏡レンズとして取り付けられた眼鏡フレームを、更に備えることを特徴とする画像装置。
【請求項６】
画面の所定領域から放たれる光が楕円偏光のみである表示器の該画面に貼り付けられて該所定領域を覆い、前記楕円偏光を正円偏光に変換することを特徴とする位相差フィルム。
【請求項７】
画面の所定領域から放たれる光が楕円偏光のみである表示器、及び、前記楕円偏光を第１の正円偏光に変換する位相差体と共に用いられる偏光体であって、
利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させることを特徴とする偏光体。
【請求項８】
画面の所定領域から放たれる光のうち特定の楕円偏光のみに画像を含ませる表示器と、
前記楕円偏光を第１の正円偏光に変換する位相差体と、
利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させる偏光体Ｐとを備えて、前記視認対象眼のみに前記画像を見せることを特徴とする画像装置。
【発明の詳細な説明】
【技術分野】
【０００１】
本発明は、画面に表示した画像を利用者の一側の眼のみで見させる画像装置並びにそれに用いられる偏光体及び位相差フィルムに関する。
【背景技術】
【０００２】
視機能の回復や向上には、所定の物を片側の眼のみに見させることが有効である。
例えば、弱視患者に対しては、アイパッチと称されるカバーを、健眼に貼り付けたり、あるいは、眼鏡の健眼側をアイパッチで覆ったりして、弱視である患眼のみを選択的に使用させる治療が行われ、その具体例が、例えば、特許文献１に記載されている。
【０００３】
また、加齢や疾病により優位眼（効き目）の視機能が低下した際、非優位眼を選択的に使用させる訓練によって、非優位眼の視機能を優位眼に近付けること（効き目の移行）が可能である。そして、スポーツ選手において、左右眼の視機能レベルに差がある場合に、視機能の低い眼を選択的に使用させることによって、左右眼の視機能レベルの差を低減させ、両眼視機能を向上させることができる。
【先行技術文献】
【特許文献】
【０００４】
【特許文献１】特開２００５−３４５８６８号公報
【発明の概要】
【発明が解決しようとする課題】
【０００５】
しかしながら、片方の眼を完全に見えない状態にすると、立体的に物を見る機能が損なわれるリスクがある。
本発明は、かかる事情に鑑みてなされるもので、利用者の一側の眼で見ることができる画像を他側の眼では見えないようにし、かつ、その画像以外のものを他側の眼で見える状態にする画像装置、並びに、それに用いられる偏光体及び位相差フィルムを提供することを目的とする。
【課題を解決するための手段】
【０００６】
前記目的に沿う第１の発明に係る画像装置は、画面の所定領域から放たれる光が楕円偏光のみである表示器と、前記楕円偏光を第１の正円偏光に変換する位相差体と、利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させる偏光体Ｐとを備えて、前記視認対象眼のみに前記所定領域に表示されている画像を見せる。
【０００７】
第１の発明に係る画像装置において、前記非視認対象眼と前記位相差体の間の空間外、かつ、前記視認対象眼と前記位相差体の間の空間内に配され、前記第１の正円偏光のみを通過させる偏光体Ｑを、更に備えるのが好ましい。
【０００８】
第１の発明に係る画像装置において、前記非視認対象眼と前記位相差体の間の空間外、かつ、前記視認対象眼と前記位相差体の間の空間内に配され、光全体に対して通過する光の量を減少させる減光体を、更に備えるのが好ましい。
【０００９】
第１の発明に係る画像装置において、前記位相差体は、フィルム状であって、前記画面に貼り付けられているのが好ましい。
【００１０】
第１の発明に係る画像装置において、前記偏光体Ｐが前記非視認対象眼の眼鏡レンズとして取り付けられた眼鏡フレームを、更に備えるのが好ましい。
【００１１】
前記目的に沿う第２の発明に係る位相差フィルムは、画面の所定領域から放たれる光が楕円偏光のみである表示器の該画面に貼り付けられて該所定領域を覆い、前記楕円偏光を正円偏光に変換する。
【００１２】
前記目的に沿う第３の発明に係る偏光体は、画面の所定領域から放たれる光が楕円偏光のみである表示器、及び、前記楕円偏光を第１の正円偏光に変換する位相差体と共に用いられる偏光体であって、利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させる。
【００１３】
前記目的に沿う第４の発明に係る画像装置は、画面の所定領域から放たれる光のうち特定の楕円偏光のみに画像を含ませる表示器と、前記楕円偏光を第１の正円偏光に変換する位相差体と、利用者の視認対象眼と前記位相差体の間の空間外、かつ、前記利用者の非視認対象眼と前記位相差体の間の空間内に配され、回転方向が前記第１の正円偏光の回転方向とは反対の第２の正円偏光を通過させる偏光体Ｐとを備えて、前記視認対象眼のみに前記画像を見せる。
【発明の効果】
【００１４】
第１、第４の発明に係る画像装置、第２の発明に係る位相差フィルム及び第３の発明に係る偏光体は、視認対象眼のみに所定領域に表示されている画像を見せることができ、利用者の一側の眼で見ることができる画像を他側の眼では見えないようにし、かつ、その画像以外のものを他側の眼で見える状態にすることが可能である。
【図面の簡単な説明】
【００１５】
【図１】本発明の一実施の形態に係る画像装置の説明図である。
【図２】偏光の変換と通過の様子を示す説明図である。
【図３】比較例に係る画像装置の説明図である。
【発明を実施するための形態】
【００１６】
続いて、添付した図面を参照しつつ、本発明を具体化した実施の形態につき説明し、本発明の理解に供する。
図１、図２に示すように、本発明の一実施の形態に係る画像装置１０は、画面１１の所定領域から放たれる光が楕円偏光Ｌのみである表示器１２と、楕円偏光Ｌを正円偏光Ｌ１（第１の正円偏光）に変換する位相差体１３と、回転方向が正円偏光Ｌ１の回転方向とは反対の正円偏光Ｌ２（第２の正円偏光）を通過させる偏光体１４（偏光体Ｐ）とを備えている。
以下、詳細に説明する。
【００１７】
図１に示す画像装置１０の利用者Ｈにおいて、図２に示すように、画面１１の所定領域（本実施の形態においては、画面１１全体）に表示される画像を見えるようにする眼を視認対象眼Ｅ１とし、画面１１の所定領域に表示される画像を見えないようにする眼を非視認対象眼Ｅ２とする。
表示器１２は、図１、図２に示すように、本実施の形態において、液晶式であり、画面１１全体から楕円偏光Ｌを放つように設計されている。ここで、楕円偏光Ｌは、Ｘ成分及びＹ成分の振幅がそれぞれ所定の大きさであり、Ｘ成分とＹ成分の位相差が所定の値である。即ち、画面１１の所定領域から発せられる楕円偏光Ｌは、単一の楕円偏光であり、複数の異なる楕円偏光からなるものではない。
【００１８】
楕円偏光Ｌを正円偏光Ｌ１に変換する加工がなされた位相差体１３は、矩形のフィルム状であり、画面１１に貼り付けられて画面１１の所定領域を覆っている。正円偏光Ｌ１は、Ｘ成分及びＹ成分の振幅が同じ大きさであり、Ｘ成分とＹ成分の位相差がπ／２である。本実施の形態では、楕円偏光Ｌ及び正円偏光Ｌ１は右回転の光である。
【００１９】
偏光体１４は、正円偏光Ｌ１とは回転方向が逆の正円偏光Ｌ２のみを通過させる設計の板状物であり、利用者Ｈの非視認対象眼Ｅ２の前に配される。本実施の形態では、偏光体１４が眼鏡レンズ（即ち、非視認対象眼Ｅ２の眼鏡レンズ）として眼鏡フレーム１５に取り付けられている。眼鏡フレーム１５には、視認対象眼Ｅ１の前に、正円偏光Ｌ１のみを通過させる設計がなされた板状の偏光体１６（偏光体Ｑ）が眼鏡レンズとして取り付けられている。
【００２０】
従って、眼鏡フレーム１５を装着した利用者Ｈが画面１１に顔を向けた状態で、偏光体１４は、視認対象眼Ｅ１と位相差体１３の間の空間外、かつ、非視認対象眼Ｅ２と位相差体１３の空間内に配される。このため、画像装置１０は、画面１１の所定領域に表示されている画像を、視認対象眼Ｅ１には見せ、非視認対象眼Ｅ２には見せず、画面１１の所定領域に表示されている画像以外のものを、視認対象眼Ｅ１及び非視認対象眼Ｅ２に見せることが可能である。
【００２１】
即ち、画像装置１０は、視認対象眼Ｅ１のみに画面１１の所定領域に表示されている画像を見せることができる。
なお、視認対象眼Ｅ１のみに画面１１の所定領域に表示されている画像を見せるという観点においては、偏光体１６はあっても無くてもよく、偏光体１４は、眼鏡フレーム１５に取り付けられていなくてもよい。偏光体１６を用いない場合、画面１１の所定領域に表示されている画像を視認対象眼Ｅ１に見えるようにするため、視認対象眼Ｅ１が位相差体１３を通して画面１１の所定領域を見るように位相差体１３及び表示器１２を配する必要がある。そして、偏光体１４を眼鏡フレーム１５に取り付けて使用するのは、偏光体１４を、視認対象眼Ｅ１の視野外かつ非視認対象眼Ｅ２の視野内に容易に配置する点で好適である。
【００２２】
また、表示器１２の代わりに、画面の所定領域から異なるタイプの光（Ｘ成分の振幅、Ｙ成分の振幅及びＸ成分とＹ成分の位相差の少なくとも１つが異なった光）を放ち、その異なるタイプの光のうち特定の楕円偏光Ｌ１のみに、画像を含ませる表示器を採用しても、視認対象眼Ｅ１にのみ、その画像を見せるようにすることができる。この場合、表示器以外の構成は、画像装置１０と同じでよい。
【００２３】
ここで、図３に示す比較例に係る画像装置２０のように、位相差体１３及び偏光体１４を設けずに、画面１１の所定領域に表示されている画像を、視認対象眼Ｅ１には見せ、非視認対象眼Ｅ２には見せない状態にすることは可能である。具体的には、位相差体１３及び偏光体１４を設けず、非視認対象眼Ｅ２の視野外で視認対象眼Ｅ１と画面１１の間に楕円偏光Ｌのみを通過させる偏光体１７を設けるようにする。
【００２４】
しかしながら、画像装置２０においては、画面１１の所定領域に表示されている画像を視認対象眼Ｅ１に見えるようにするため、偏光体１７を画面１１に対して所定の配置に設ける必要がある。例えば、視認対象眼Ｅ１が画面１１の所定領域に表示されている画像を見える状態から、表示器１２を画面１１に垂直な仮想軸Ｃを中心に数度（角度）回転させると、視認対象眼Ｅ１は、画面１１の所定領域に表示されている画像を見ることができなくなる。
【００２５】
この点、本実施の形態においては、楕円偏光Ｌを位相差体１３で正円偏光Ｌ１に変換し、偏光体１４は、正円偏光Ｌ１と回転方向が反対の正円偏光Ｌ２のみを通過させる設計のため、偏光体の画面１１に対する配置を固定しなくてもよい。
なお、位相差体１３は、楕円偏光Ｌを正円偏光Ｌ１に変換するため、画面１１に対する配置が固定されている必要がある。このため、位相差体１３を表示器１２に貼り付けない場合、位相差体１３の表示器１２に対する配置を固定する設計をなす必要がある。
【００２６】
また、偏光体１６は、眼鏡フレーム１５を装着した利用者Ｈが画面１１に顔を向けた状態で、非視認対象眼Ｅ２と位相差体１３の間の空間外、かつ、視認対象眼Ｅ１と位相差体１３の間の空間内に配される。
正円偏光Ｌ２のみを通過させる設計がなされた偏光体１４は、異なるタイプの光が混在した混合光（例えば、自然光）から実質的に正円偏光Ｌ２のみを通過させるため、混合光の偏光体１４の通過量を減少させる作用がある。この点、偏光体１６も正円偏光Ｌ１及び混合光に対して同様の作用を奏する。そこで、偏光体１６を視認対象眼Ｅ１の視野内に配することにより、偏光体１６を介して視認対象眼Ｅ１に達する光の量と偏光体１４を介して非視認対象眼Ｅ２に達する光の量が同じレベルになるように調整している。
【００２７】
ここで、視認対象眼Ｅ１及び非視認対象眼Ｅ２に達する光量を同じレベルに調整するという観点では、偏光体１６の代わりに、混合光に混在した各光（即ち、光全体）に対して通過する光の量を減少させる減光体を用いることも可能である。但し、偏光体１６は、偏光体１４を通過可能な正円偏光Ｌ２と回転方向のみが異なる正円偏光Ｌ１のみを通過させる設計であるため、設計及び製造の観点において、偏光体１４を通して見る景色と偏光体１６を通して見る景色の色合いや色の濃度を同じレベルにするのは容易である。
【００２８】
画面１１の所定領域に表示される画像内容に応じて、画像装置１０を、視機能回復、利き目の変更、あるいは、スポーツ選手の視機能向上等の視機能訓練装置として用いることや、視力検査装置として用いることが可能である。
また、本発明の一実施の形態に係る位相差フィルムは、上述した図１、図２に示すフィルム状の位相差体１３であり、画面１１の所定領域から放たれる光が楕円偏光Ｌのみである表示器１２の画面１１に貼り付けられてその所定領域を覆い、楕円偏光Ｌを正円偏光Ｌ１に変換するものである。
【００２９】
そして、本発明の一実施の形態に係る偏光体１４は、図１、図２に示すように、画面１１の所定領域から放たれる光が楕円偏光Ｌのみである表示器１２、及び、楕円偏光Ｌを正円偏光Ｌ１に変換する位相差体１３と共に用いられ、利用者Ｈの視認対象眼Ｅ１と位相差体１３の間の空間外、かつ、利用者Ｈの非視認対象眼Ｅ２と位相差体１３の間の空間内に配され、正円偏光Ｌ１と回転方向が反対の正円偏光Ｌ２を通過させる。
【００３０】
以上、本発明の実施の形態を説明したが、本発明は、上記した形態に限定されるものでなく、要旨を逸脱しない条件の変更等は全て本発明の適用範囲である。
例えば、表示器は、画面の一部の領域から楕円偏光のみを放ち、画面の他の領域から楕円偏光以外の光を放つように設計されていてもよく、その場合、視認対象眼のみに見せる画像は、画面の楕円偏光のみを放つ領域に表示される必要がある。
そして、位相差体は、フィルム状である必要はなく他の形状であってもよい。
【符号の説明】
【００３１】
１０：画像装置、１１：画面、１２：表示器、１３：位相差体、１４：偏光体、１５：眼鏡フレーム、１６：偏光体、１７：偏光体、２０：画像装置、Ｌ：楕円偏光、Ｌ１：正円偏光、Ｌ２：正円偏光、Ｈ：利用者、Ｅ１：視認対象眼、Ｅ２：非視認対象眼、Ｃ：仮想軸
【図１】
2017060641.tif 000003
【図２】
2017060641.tif 000004
【図３】
2017060641.tif 000005